(57)【要約】【課題】  処理装置の負担を軽減する表示ドライバ等を提供する。【解決手段】  複数のデータ線を有する電気光学パネルを駆動するための表示ドライバ１０は、第１の画像データ及び第２の画像データを記憶する記憶回路５２２と、前記記憶回路に記憶された前記第１の画像データ及び前記第２の画像データを交互に読み出すことを繰り返し、前記第１の画像データ又は前記第２の画像データを読み出し画像データとして出力する読み出し回路５２４と、前記読み出し回路によって読み出された前記読み出し画像データに基づき、前記複数のデータ線の全部又は一部を駆動するドライバ回路５５０と、を含む。前記第１の画像データ及び前記第２の画像データは、それぞれ第１の画素データ及び第２の画素データとして、少なくとも１つの画素データを有し、前記第１の画素データは、前記第２の画素データと異なる。【選択図】  図１
2010066589.tif 000002
【特許請求の範囲】
【請求項１】
複数のデータ線を有する電気光学パネルを駆動するための表示ドライバであって、
第１の画像データ及び第２の画像データを記憶する記憶回路と、
前記記憶回路に記憶された前記第１の画像データ及び前記第２の画像データを交互に読み出すことを繰り返し、前記第１の画像データ又は前記第２の画像データを読み出し画像データとして出力する読み出し回路と、
前記読み出し回路によって読み出された前記読み出し画像データに基づき、前記複数のデータ線の全部又は一部を駆動するドライバ回路と、
を含み、
前記第１の画像データ及び前記第２の画像データは、それぞれ第１の画素データ及び第２の画素データとして、少なくとも１つの画素データを有し、
前記第１の画素データは、前記第２の画素データと異なる、表示ドライバ。
【請求項２】
請求項１において、
前記読み出し回路は、Ｎフレームの周期で前記第１の画像データ及び前記第２の画像データの一方から他方に切り換えることによって、前記読み出し画像データを出力し、
Ｎは、２以上の整数であり、
前記ドライバ回路は、極性反転信号に同期して、前記読み出し画像データに対応した駆動信号を生成する、表示ドライバ。
【請求項３】
請求項１又は２において、
処理装置からのコマンドデータをデコードするデコーダ回路を
さらに含み、
前記読み出し回路は、前記デコーダ回路のデコード結果に応じて、前記記憶回路に記憶された前記第１の画像データ及び前記第２の画像データを交互に読み出すことを制御し、
前記デコード結果が第１モードの開始を表す場合、前記読み出し回路は、前記記憶回路に記憶された前記第１の画像データ又は前記第２の画像データを読み出すことを開始する、表示ドライバ。
【請求項４】
請求項１乃至３の何れかにおいて、
処理装置からのパラメータデータを格納するパラメータレジスタ回路を
さらに含み、
前記パラメータデータは、前記読み出し回路が前記第１の画像データ及び前記第２の画像データの一方から他方に切り換えるための周期データを有し、
前記読み出し回路は、前記周期データに基づき、前記記憶回路に記憶された前記第１の画像データ及び前記第２の画像データを交互に読み出す、表示ドライバ。
【請求項５】
請求項１乃至３の何れかにおいて、
処理装置からのパラメータデータを格納するパラメータレジスタ回路を
さらに含み、
前記パラメータデータは、前記読み出し回路が前記第１の画像データを読み出すための第１の指定データと、前記読み出し回路が前記第２の画像データを読み出すための第２の指定データと、を有し、
前記読み出し回路は、前記第１の指定データ及び前記第２の指定データに基づき、前記記憶回路に記憶された前記第１の画像データ及び前記第２の画像データを交互に読み出す、表示ドライバ。
【請求項６】
請求項３において、
前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始し、
前記デコード結果が第１モードの終了を表す場合、前記読み出し回路は、前記記憶回路に記憶された前記第２の画像データを最後に読み出すことによって、前記第１の画像データ又は前記第２の画像データを読み出すことを終了する、表示ドライバ。
【請求項７】
請求項１乃至６の何れかにおいて、
前記記憶回路は、ＲＯＭ（Read Only Memory）である、表示ドライバ。
【請求項８】
請求項３において、
前記記憶回路は、第３の画像データを記憶し、
前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始し、
前記デコード結果が第１モードの設定変更を表す場合、前記読み出し回路は、前記記憶回路に記憶された前記第２の画像データを最後に読み出した後、前記第１の画像データ又は前記第２の画像データの代わりに前記第３の画像データを使用する、表示ドライバ。
【請求項９】
請求項３において、
前記記憶回路は、第３の画像データ及び第４の画像データを記憶し、
前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始し、
前記デコード結果が第１モードの設定変更を表す場合、前記読み出し回路は、前記記憶回路に記憶された前記第２の画像データを最後に読み出した後、前記第１の画像データ及び前記第２の画像データの代わりに前記第３の画像データ及び前記第４の画像データを使用し、
前記読み出し回路は、前記記憶回路に記憶された前記第３の画像データ及び前記第４の画像データを交互に読み出すことを繰り返し、前記第３の画像データ又は前記第４の画像データを前記読み出し画像データとして出力し、
前記第３の画像データ及び前記第４の画像データは、それぞれ第３の画素データ及び第４の画素データとして、少なくとも１つの画素データを有し、
前記第３の画素データは、前記第４の画素データと異なる、表示ドライバ。
【請求項１０】
請求項６において、
前記記憶回路に画像データを書き込む書き込み回路を
さらに含み、
前記読み出し回路が前記第１の画像データ又は前記第２の画像データの読み出しを終了した後、前記書き込み回路は、前記記憶回路が前記第２の画像データを記憶している記憶領域に新しい画像データに書き込むことが可能になる、表示ドライバ。
【請求項１１】
請求項１乃至１０の何れかに記載の前記表示ドライバを含む電気光学装置。
【発明の詳細な説明】
【技術分野】
【０００１】
本発明は、表示ドライバ及び電気光学装置等に関する。
【背景技術】
【０００２】
電気光学装置は、表示ドライバを含むことができる（例えば、特許文献１、特許文献２）。例えば、表示ドライバ（例えば、データドライバ）が第１の画像データ（例えば、１フレーム分の画像データ）に基づき電気光学パネルを駆動する前に、処理装置（例えば、ＭＰＵ）は、第１の画像を表示ドライバに送信する必要がある。言い換えれば、表示ドライバが第１の画像データを表示することを繰り返す場合、処理装置は、第１の画像を第１の画像を送信することを繰り返す。
【０００３】
【特許文献１】特開２００５−１８２０８０号公報
【特許文献２】特開２００５−１９５７４６号公報
【発明の開示】
【発明が解決しようとする課題】
【０００４】
本発明の幾つかの態様によれば、処理装置の負担を軽減する表示ドライバ及び電気光学装置を提供できる。
【課題を解決するための手段】
【０００５】
以下に、本発明に従う複数の態様を例示する。以下に例示される複数の態様は、本発明を容易に理解するために用いられている。したがって、当業者は、本発明が、以下に例示される複数の態様によって不当に限定されないことを留意すべきである。
【０００６】
本発明の一態様は、複数のデータ線を有する電気光学パネルを駆動するための表示ドライバであって、
第１の画像データ及び第２の画像データを記憶する記憶回路と、
前記記憶回路に記憶された前記第１の画像データ及び前記第２の画像データを交互に読み出すことを繰り返し、前記第１の画像データ又は前記第２の画像データを読み出し画像データとして出力する読み出し回路と、
前記読み出し回路によって読み出された前記読み出し画像データに基づき、前記複数のデータ線の全部又は一部を駆動するドライバ回路と、
を含み、
前記第１の画像データ及び前記第２の画像データは、それぞれ第１の画素データ及び第２の画素データとして、少なくとも１つの画素データを有し、
前記第１の画素データは、前記第２の画素データと異なる、表示ドライバに関係する。
【０００７】
読み出し回路が、第１の画像データ及び第２の画像データを交互に読み出すことを繰り返すので、表示ドライバは、第１の画像データ及び第２の画像データの受信を繰り返す必要がない。言い換えれば、処理装置は、第１の画像データ及び第２の画像データの送信を繰り返す必要がなく、処理装置の負担は、軽減される。
【０００８】
また本発明の一態様では、前記読み出し回路は、Ｎフレームの周期で前記第１の画像データ及び前記第２の画像データの一方から他方に切り換えることによって、前記読み出し画像データを出力してもよく、
Ｎは、２以上の整数であってもよく、
前記ドライバ回路は、極性反転信号に同期して、前記読み出し画像データに対応した駆動信号を生成してもよい。
【０００９】
ドライバ回路が極性反転駆動を採用する場合、読み出し回路が２フレーム以上の周期の切り替え周期で第１の画像データ又は第２の画像データを読み出すので、電気光学物質の劣化を防止することができる。
【００１０】
また本発明の一態様では、表示ドライバは、
処理装置からのコマンドデータをデコードするデコーダ回路を
さらに含んでもよく、
前記読み出し回路は、前記デコーダ回路のデコード結果に応じて、前記記憶回路に記憶された前記第１の画像データ及び前記第２の画像データを交互に読み出すことを制御してもよく、
前記デコード結果が第１モードの開始を表す場合、前記読み出し回路は、前記記憶回路に記憶された前記第１の画像データ又は前記第２の画像データを読み出すことを開始してもよい。
【００１１】
また本発明の一態様では、表示ドライバは、
処理装置からのパラメータデータを格納するパラメータレジスタ回路を
さらに含んでもよく、
前記パラメータデータは、前記読み出し回路が前記第１の画像データ及び前記第２の画像データの一方から他方に切り換えるための周期データを有してもよく、
前記読み出し回路は、前記周期データに基づき、前記記憶回路に記憶された前記第１の画像データ及び前記第２の画像データを交互に読み出してもよい。
【００１２】
また本発明の一態様では、表示ドライバは、
処理装置からのパラメータデータを格納するパラメータレジスタ回路を
さらに含んでもよく、
前記パラメータデータは、前記読み出し回路が前記第１の画像データを読み出すための第１の指定データと、前記読み出し回路が前記第２の画像データを読み出すための第２の指定データと、を有してもよく、
前記読み出し回路は、前記第１の指定データ及び前記第２の指定データに基づき、前記記憶回路に記憶された前記第１の画像データ及び前記第２の画像データを交互に読み出してもよい。
【００１３】
また本発明の一態様では、前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始してもよく、
前記デコード結果が第１モードの終了を表す場合、前記読み出し回路は、前記記憶回路に記憶された前記第２の画像データを最後に読み出すことによって、前記第１の画像データ又は前記第２の画像データを読み出すことを終了してもよい。
【００１４】
また本発明の一態様では、前記記憶回路は、ＲＯＭ（Read Only Memory）であってもよい。
【００１５】
また本発明の一態様では、前記記憶回路は、第３の画像データを記憶してもよく、
前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始してもよく、
前記デコード結果が第１モードの設定変更を表す場合、前記読み出し回路は、前記記憶回路に記憶された前記第２の画像データを最後に読み出した後、前記第１の画像データ又は前記第２の画像データの代わりに前記第３の画像データを使用してもよい。
【００１６】
また本発明の一態様では、前記記憶回路は、第３の画像データ及び第４の画像データを記憶してもよく、
前記デコード結果が第１モードの開始を表す場合、前記読み出し回路は、前記記憶回路に記憶された前記第１の画像データを最初に読み出すことによって、前記第１の画像データ又は前記第２の画像データを読み出すことを開始してもよく、
前記デコード結果が第１モードの設定変更を表す場合、前記読み出し回路は、前記記憶回路に記憶された前記第２の画像データを最後に読み出した後、前記第１の画像データ及び前記第２の画像データの代わりに前記第３の画像データ及び前記第４の画像データを使用してもよく、
前記読み出し回路は、前記記憶回路に記憶された前記第３の画像データ及び前記第４の画像データを交互に読み出すことを繰り返し、前記第３の画像データ又は前記第４の画像データを前記読み出し画像データとして出力してもよく、
前記第３の画像データ及び前記第４の画像データは、それぞれ第３の画素データ及び第４の画素データとして、少なくとも１つの画素データを有してもよく、
前記第３の画素データは、前記第４の画素データと異なってもよい。
【００１７】
また本発明の一態様では、表示ドライバは、
前記記憶回路に画像データを書き込む書き込み回路を
さらに含んでもよく、
前記読み出し回路が前記第１の画像データ又は前記第２の画像データの読み出しを終了した後、前記書き込み回路は、前記記憶回路が前記第２の画像データを記憶している記憶領域に新しい画像データに書き込むことが可能になってもよい。
【００１８】
また本発明の他の態様は、上記の何れかの前記表示ドライバを含む電気光学装置に関係する。
【発明を実施するための最良の形態】
【００１９】
以下、本発明の好適な実施の形態について図面を用いて詳細に説明する。なお、以下に説明する実施の形態は、特許請求の範囲に記載された本発明の内容を不当に限定するものではない。また、以下で説明される構成の全てが本発明の必須構成要件であるとは限らない。
【００２０】
１．電気光学装置
図１に、本実施形態の電気光学装置の構成例を示す。電気光学装置は、例えば、図１に示される表示ドライバ１０と電気光学パネル５１２と処置装置１３０とを含む。電気光学装置は、表示ドライバ１０の外部に位置する外部不揮発性メモリ１３４を含んでもよい。電気光学パネル５１２は、表示ドライバ１０により駆動される。電気光学装置の範囲は、例えば、車載用表示ユニットを含む。なお、表示ドライバ１０は、図１に示される複数の回路の一部を省略してもよい。また、表示ドライバ１０は、図１に示されない回路を含んでもよい。さらに、表示ドライバ１０内の各回路は、複数の機能の一部を省略してもよく、他の機能を含んでもよい。表示ドライバ１０、処置装置１３０、及び外部不揮発性メモリの一部又は全部を、電気光学パネル５１２の上に形成してもよい。
【００２１】
図１において、電気光学パネル５１２は、複数のデータ線（ソース線）と、複数の走査線（ゲート線）と、各画素が複数のデータ線の何れかのデータ線及び複数の走査線の何れかの走査線により特定される複数の画素とを有する。そして各画素領域における電気光学素子（例えば、液晶素子）の光学特性を変化させることで、表示動作を実現する。図１において、１×２画素が示されているが、複数の画素の数は、２に限定されるものではない。電気光学パネル５１２は、例えば３２０×３２０画素を有する。また、電気光学パネル５１２は、ＴＦＴ（Thin Film Transistor）、ＴＦＤ（Thin Film Diode）などのスイッチング素子を用いたアクティブマトリクス方式のパネルにより構成できる。なお、電気光学パネル５１２は、アクティブマトリクス方式以外のパネル（例えば、単純マトリックス方式のパネル）であってもよいし、液晶パネル以外のパネル（例えば、有機ＥＬ（Electro Luminescence）パネル）であってもよい。
【００２２】
より具体的には、液晶パネルは、例えばガラス基板からなるパネル基板上に形成される。パネル基板には、複数の走査線と、複数のデータ線とが配置されている。複数の走査線の何れかの走査線と複数のデータ線の何れかのデータ線との交差点に対応する位置に画素が設けられている。各画素は、例えばアモルファスＳｉ−ＴＦＴからなるスイッチング素子と、画素電極とを有する。
【００２３】
ＴＦＴのゲート電極は、複数の走査線の何れかの走査線に接続される。ＴＦＴのソース電極は、複数のデータ線の何れかのデータ線に接続される。ＴＦＴのドレイン電極は、複数の画素電極の何れかの画素電極に接続される。画素電極と、該画素電極と液晶素子（広義には電気光学物質）を介して対向する対向電極（コモン電極）との間には、液晶容量（広義には素子容量）が形成されている。なお、液晶容量と並列に、保持容量を形成するようにしても良い。液晶パネルでは、画素電極と対向電極との間の電圧に応じて、画素の透過率が変化するようになっている。対向電極に供給される対向電極電圧ＶＣＯＭは、電源回路５９０により生成される。このような液晶パネルは、例えば画素電極及びＴＦＴが形成された第１の基板と、対向電極が形成された第２の基板とを貼り合わせ、両基板の間に電気光学材料としての液晶を封入させることで形成される。素子容量の範囲は、液晶素子に形成される液晶容量や、無機ＥＬ素子等のＥＬ素子に形成される容量を含む。
【００２４】
記憶回路５２２（例えば、ＲＡＭ（Random Access Memory））は、画像データを記憶する。記憶回路５２２は、複数のメモリセルを含み、少なくとも１フレーム（１画面）分の画像データ（表示データ）を記憶する。電気光学パネル５１２が３２０×３２０画素を有する場合、記憶回路５２２の記憶容量は、例えば、３２０×３２０×４ビットである。この場合、記憶回路５２２は、１フレーム分の４ビット（１６階調）の画像データを記憶したり、２フレーム分の２ビット（４階調）の画像データを記憶したり、４フレーム分の１ビット（２階調）の画像データを記憶することができる。記憶回路５２２の記憶容量は、３２０×３２０×４ビットよりも大きくてもよく、記憶回路５２２は、複数フレーム分の４ビット（１６階調）の画像データを記憶してもよい。記憶回路５２２に記憶される画像データは、例えば、書き込み回路５２６及び読み出し回路５２４によって、書き込まれたり、読み出されたりする。なお、記憶回路５２２の一部は、固定の画像データを記憶するＲＯＭ（Read Only Memory）でもよい。ＲＯＭは、表示ドライバ１０の外部に位置してもよい。
【００２５】
書き込み回路５２６は、処理装置１３０からの画像データを記憶回路５２２に書き込むが、書き込み回路５２６は、記憶回路５２２からの画像データを処理装置１３０に読み出す機能も有する書き込み／読み出し回路５２６であってもよい。読み出し回路５２４は、記憶回路５２２からの画像データをデータドライバ回路５５０に読み出す。書き込み回路５２６（書き込み／読み出し回路５２６）は、例えば、ページアドレスを制御するページアドレス制御回路とカラムアドレスを制御するカラムアドレス制御回路を有する。書き込み回路５２６（書き込み／読み出し回路５２６）は、画像データを一時的に記憶するバッファ回路を有してもよい。読み出し回路５２４は、例えば、ラインアドレスを制御するラインアドレス制御回路（及び必要に応じてカラムアドレスを制御するカラムアドレス制御回路）を有する。読み出し回路５２４は、画像データを一時的に保持するラッチ回路を有してもよい。
【００２６】
制御ロジック回路５４２は、各種制御信号や各種制御データを生成したり、表示ドライバ１０全体の制御を行う。制御ロジック回路５４２は、例えばゲートアレイ（Ｇ／Ａ）などの自動配置配線により形成できる。また、制御ロジック回路５４２は、パラメータデータやコマンドデータを保持する。また、制御ロジック回路５４２は、階調電圧生成回路６１０（広義には、階調信号生成回路）に対して、階調特性（γ特性）を調整するための階調調整データ（γ補正データ）を出力したり、電源回路５９０に対して、各種の電圧を調整するための電圧設定データを出力する。また、制御ロジック回路５４２は、表示ドライバ１０に接続される外部の不揮発性メモリ１３４（例えば、ＥＥＰＲＯＭ（Electrically Erasable and Programmable ROM））に対してアクセス制御を行う。また、制御ロジック回路５４２は、処理装置１３０（例えば、ＭＰＵ（Micro Processing Unit））との間で、信号やデータを送受信する。なお、制御ロジック回路５４２は、処理装置１３０から基準クロックを受け取ってもよく、表示ドライバ１０は、基準クロックを生成する発振回路を含んでもよい。制御ロジック回路５４２は、処理装置１３０から垂直同期信号や水平同期信号を受け取ってもよく、表示ドライバ１０は、垂直同期信号や水平同期信号を生成する回路を含んでもよい。
【００２７】
表示タイミング制御回路５４４は、表示タイミングの制御信号を生成し、処理装置１３０から記憶回路５２２への画像データの書き込みタイミングを制御したり、記憶回路５２２からデータドライバ回路５５０への画像データの読み出しタイミングを制御する。また、表示タイミング制御回路５４４は、電気光学物質の印加電圧（広義には印加信号）の極性が反転するタイミングを指定する極性反転信号ＰＯＬを生成し、データドライバ回路５５０、電源回路５９０、及び階調電圧生成回路６１０に送る。
【００２８】
システムインターフェース回路５４８は、処理装置１３０から表示ドライバ１０への信号やデータを受け取り、表示ドライバ１０から処理装置１３０への信号やデータを送り出すインターフェースを実現する。システムインターフェース回路５４８は、処理装置１３０と記憶回路５２２との間の画像データの通信に、画像データを一時的に保持するバスホルダ回路を使用してもよい。システムインターフェース回路５４８は、パラレルインターフェース回路でもよく、シリアルインターフェース回路でもよく、パラレル／シリアルインターフェース回路でもよい。パラレルインターフェース回路５４８は、例えば、反転チップセレクト信号ＸＣＳ、コマンド／データの識別信号Ａ０、反転リード信号ＸＲＤ、反転ライト信号ＸＷＲ、及び８ビットのデータＤ７〜Ｄ０を取り扱う。シリアルインターフェース回路は、例えば、反転チップセレクト信号ＸＣＳ、コマンド／データの識別信号Ａ０、シリアルクロック信号ＳＣＬ、及びシリアルデータＳＤを取り扱う。パラレル／シリアルインターフェース回路は、例えば、シリアル／パラレル選択信号ＩＦ、反転チップセレクト信号ＸＣＳ、コマンド／データの識別信号Ａ０、反転リード信号ＸＲＤ、反転ライト信号ＸＷＲ、８ビットのデータＤ７〜Ｄ０、シリアルクロック信号ＳＣＬ、及びシリアルデータＳＤを取り扱う。
【００２９】
シリアル／パラレル選択信号ＩＦの「Ｈ（Ｈｉｇｈレベル）」及び「Ｌ（Ｌｏｗレベル）」はそれぞれ、例えば、シリアル通信モード及びパラレル通信モードを示す。反転チップセレクト信号ＸＣＳの「Ｌ」は、例えば、処理装置１３０と表示ドライバ１０との間の通信の許可を示す。コマンド／データの識別信号Ａ０の「Ｈ」及び「Ｌ」はそれぞれ、例えば、画像データ又はパラメータデータの通信モード及びコマンドデータの通信モードを示す。パラレル通信モードにおける反転リード信号ＸＲＤの「Ｌ」は、例えば、表示ドライバ１０から処理装置１３０へのデータの読み出しを示す。パラレル通信モードにおける反転ライト信号ＸＷＲの「Ｌ」は、例えば、処理装置１３０から表示ドライバ１０へのデータの書き込みを示す。パラレル通信モードにおける８ビットのデータＤ７〜Ｄ０は、例えば、画像データ、パラメータデータ、又はコマンドデータを示す。シリアル通信モードにおけるシリアルクロック信号ＳＣＬは、処理装置１３０と表示ドライバ１０との間の通信用のクロックを示す。シリアル通信モードにおけるシリアルデータＳＤは、例えば、画像データ、パラメータデータ、又はコマンドデータを示す。
【００３０】
データドライバ回路５５０は、電気光学パネル５１２の複数のデータ線を駆動するためのデータ信号（データ線用の駆動信号）を生成する回路である。具体的にはデータドライバ回路５５０は、記憶回路５２２から画像データ（階調データ）を受け、階調電圧生成回路６１０から複数（例えば１６段階、４段階、２段階など）の階調電圧（基準電圧）（広義には、階調信号）を受ける。そして、データドライバ回路５５０は、複数の階調電圧の中から、画像データに対応する階調電圧を選択する。選択された階調電圧は、データ信号として、電気光学パネル５１２の複数のデータ線のうちの対応するデータ線に出力される。
【００３１】
データドライバ回路５５０は、電気光学物質の劣化を防止するために、電気光学物質の印加電圧（広義には印加信号）の極性を反転させる極性反転駆動を採用することができる。極性反転駆動は、１垂直走査期間単位で極性反転を行うフレーム反転駆動、１水平走査期間単位で極性反転を行うライン反転駆動、及び、１画素単位で極性反転を行うドット反転駆動をライン反転駆動に組み合わせた極性反転駆動などを有する。データドライバ回路５５０が極性反転駆動を採用する場合、データドライバ回路５５０は、極性反転信号ＰＯＬに同期して、画像データ（階調データ）に対応する階調電圧を選択する。具体的には、データドライバ回路５５０は、極性反転信号ＰＯＬに同期して、画像データ（階調データ）の各ビットを反転して、反転画像データ（反転階調データ）を生成する。データドライバ回路５５０は、極性反転信号ＰＯＬに基づき、複数の階調電圧の中から、画像データ又は反転画像データに対応する階調電圧を選択する。
【００３２】
走査ドライバ回路５７０は、電気光学パネル５１２の複数の走査線を駆動するための走査信号（走査線用の駆動信号）を生成する回路である。具体的には、内蔵するシフトレジスタにおいてスタートパルス信号を順次シフトし、このシフトされたスタートパルス信号をレベル変換する。レベル変換された信号は、走査信号（走査電圧）として、電気光学パネル５１２の複数の走査線うちの対応する走査線に出力される。なお走査ドライバ５７０に、走査アドレス生成回路やアドレスデコーダを含ませ、走査アドレス生成回路が走査アドレスを生成して出力し、アドレスデコーダが走査アドレスのデコード処理を行うことで、走査信号を生成してもよい。
【００３３】
電源回路５９０は、各種の電圧（広義には電源信号）を生成する回路である。電源回路５９０は、入力電源電圧や内部電源電圧を、昇圧用キャパシタや昇圧用トランジスタを用いてチャージポンプ方式で昇圧し、昇圧電圧を生成する。昇圧電圧に基づき、走査ドライバ回路５７０や階調電圧生成回路６１０が使用する高電圧を生成できる。また電源回路５９０は、昇圧電圧のレベル調整を行う。また電源回路５９０は、電気光学パネル５１２の対向電極に供給する対向電極電圧ＶＣＯＭも生成する。
【００３４】
階調電圧生成回路（γ補正回路）６１０は、複数の階調電圧を生成する回路である。具体的には、階調電圧生成回路６１０は、電源回路５９０で生成された高電圧の電源電圧ＶＤＤＨ、ＶＳＳＨに基づいて、選択用電圧ＶＳ１〜ＶＳ６４（広義にはＲ個の選択用電圧）を出力する。階調電圧生成回路６１０は、直列に接続された複数の抵抗素子を有するラダー抵抗回路を含む。そしてＶＤＤＨ、ＶＳＳＨを、このラダー抵抗回路により分割した電圧を、選択用電圧ＶＳ１〜ＶＳ６４として出力する。階調電圧生成回路６１０は、制御ロジック回路５４２からの階調特性の調整データに基づいて、選択用電圧ＶＳ１〜ＶＳ６４の中から、例えば１６階調の場合には１６個（広義にはＳ個。Ｒ＞Ｓ）の電圧を選択して、階調電圧Ｖ１〜Ｖ１６として出力する。このようにすれば電気光学パネルに応じた最適な階調特性（γ補正特性）の階調電圧を生成できる。なお、極性反転駆動の場合には、階調電圧生成回路６１０は、正極性用のラダー抵抗回路と負極性用のラダー抵抗回路を含んでもよい。すなわち、階調電圧生成回路６１０は、極性反転信号ＰＯＬに同期して、正極性用の複数（例えば１６段階）の階調電圧Ｖ１〜Ｖ１６又は負極性用の複数（例えば１６段階）の階調電圧Ｖ１〜Ｖ１６を出力してもよい。
【００３５】
処理装置１３０は、制御ロジック回路５４２との間で、信号やデータを送受信する。処理装置１３０は、ＭＰＵやＣＰＵ（Central Prosessing Unit）により実現してもよいし、ＡＳＩＣであるコントローラ回路により実現してもよい。また、ＭＰＵ１３０の機能を、電子機器（例えば、電気光学装置、携帯電話、ページャ、時計、液晶テレビ、車載用表示装置、カーナビゲーション装置、電卓、ワードプロセッサ、プロジェクタ又はＰＯＳ端末等）が有する処理部（ＭＰＵ）により実現してもよい。
【００３６】
処理装置１３０の主な動作は、制御ロジック回路５４２にコマンドデータを送信し、制御ロジック回路５４２は、そのコマンドデータに基づき表示ドライバ１０を制御する。また、処理装置１３０は、必要に応じてコマンドデータに関連するパラメータデータを送信する。処理装置１３０の主な他の動作は、記憶回路５２２に画像データを送信する。具体的には、処理装置１３０は、記憶回路５２２の書き込み領域（例えば、１フレーム分の記憶領域）を制御ロジック回路５４２に指示するために、書き込み領域を設定するコマンドデータと、書き込み領域の内容（例えば、１フレーム分の記憶領域のスタートアドレス及びエンドアドレス）を表すパラメータデータとを制御ロジック回路５４２に送信する。その後、処理装置１３０は、記憶回路５２２への画像データ（例えば、１フレーム分の画像データ）の送信を開始し、これに応じて、制御ロジック回路５４２は、記憶回路５２２の設定された書き込み領域に画像データの書き込みを書き込み回路５２６を介して開始する。画像データ（例えば、１フレーム分の画像データ）の送信を開始する際、処理装置１３０は、画像データの書き込み開始を指示するコマンドデータを制御ロジック回路５４２に送信してもよい。
【００３７】
外部不揮発性メモリ１３４は、電気光学装置を動作させるための種々の情報を記憶する。具体的には、外部不揮発性メモリ１３４は、表示特性制御パラメータデータ（フリッカ調整パラメータデータ、コントラスト調整パラメータデータ、表示制御パラメータデータ、階調制御パラメータデータ、電圧設定パラメータデータ等）を記憶する。外部不揮発性メモリ１３４は、表示特性制御パラメータデータ以外のパラメータデータ（リフレッシュ期間パラメータデータ、製造情報パラメータデータ等）も記憶する。外部不揮発性メモリ１３４に記憶された各種のパラメータデータは、例えば、電源投入時、システムリセット時、又はリフレッシュ時に、制御ロジック回路５４２によって読み出される。
【００３８】
２．制御ロジック回路
図２に、図１の制御ロジック回路５４２の構成例を示す。制御ロジック回路５４２は、処理装置１３０からのコマンドデータをデコードするコマンドデコーダ回路５１４と、処理装置１３０からのパラメータデータを格納するパラメータレジスタ回路３０とを有する。また、制御ロジック回路５４２は、処理装置１３０からの画像データを受け、画像データを書き込み回路５２６に送る。図２において、システムインターフェース回路５４８は、反転チップセレクト信号ＸＣＳ、コマンド／データの識別信号Ａ０、反転リード信号ＸＲＤ、反転ライト信号ＸＷＲ、及び８ビットのデータＤ７〜Ｄ０を取り扱い、処理装置１３０に対してパラレルインターフェース回路の機能を表す。
【００３９】
制御ロジック回路５４２の主な動作は、処理装置１３０からの各種のコマンドデータを受信し、コマンドデータの内容に応じて、表示ドライバ１０内の制御回路５２４、５２６、５４４、５９０、６１０を制御する。図２に示すように、制御ロジック回路５４２は、各種のコマンドデータが入力されたことを保持するコマンドレジスタ回路５１５を有してもよい。また、制御ロジック回路５４２は、処理装置１３０からの各種のパラメータデータを受信し、パラメータデータをパラメータレジスタ回路３０に格納させる。図２に示すように、制御ロジック回路５４２は、コマンドデコーダ回路５１４のデコード結果に応じてコマンドデータに関連するパラメータデータをパラメータレジスタ回路３０に格納させるレジスタ書き込み回路２０を有してもよい。表示ドライバ１０内の制御回路５２４、５２６、５４４、５９０、６１０は、パラメータレジスタ回路３０に格納されるパラメータデータに基づき動作する。コマンドレジスタ回路５１５やパラメータレジスタ回路３０のような制御レジスタ回路は、Ｄフリップフロップなどの保持回路で実現してもよいし、ＲＡＭなどのメモリ回路により実現してもよい。コマンドレジスタ回路５１５及びパラメータレジスタ回路３０を制御レジスタ回路として統合し、制御レジスタ回路をコマンドデータ用の領域とパラメータデータ用の領域とに分けてもよい。
【００４０】
処理装置１３０は、通常の動作モードにおいて、連続する複数のフレーム分の画像データを１フレーム単位で制御ロジック回路５４２（書き込み回路５２６、記憶回路５２２）に送信する。この時、処理装置１３０は、１フレーム分の画像データの記憶回路５２２への書き込み開始を指示するコマンドデータＷＲＲＡＭを１フレーム単位で制御ロジック回路５４２（コマンドデコーダ回路５１４）に送信する。記憶回路５２２の記憶容量が３２０×３２０×４ビットであり、且つ、画像データが１ビット（２階調）の画像データである場合、記憶回路５２２は、４フレーム分の１ビットの画像データを記憶することができる。したがって、処理装置１３０は、コマンドデータＷＲＲＡＭの前に、例えば、記憶回路５２２の書き込み領域のカラムアドレスを設定するコマンドデータＣＡＳＥＴ及びカラムアドレスの内容（例えば、カラムスタートアドレスＣ１及びカラムエンドアドレスＣ２）を表すパラメータデータと、記憶回路５２２の書き込み領域のページアドレス及びフレームアドレスを設定するコマンドデータＰＡＳＥＴ並びにページアドレス及びフレームアドレスの内容（例えば、ページスタートアドレスＰ１、ページエンドアドレスＰ２、フレームアドレス）を表すパラメータデータと、を制御ロジック回路５４２（コマンドデコーダ回路５１４、レジスタ書き込み回路２０、パラメータレジスタ回路３０）に送信する。
【００４１】
図３に、図１の記憶回路５２２の記憶領域の構成例を示す。記憶回路５２２の記憶容量が３２０×３２０×４ビットであり、且つ、画像データが１ビット（２階調）の画像データである場合、記憶回路５２２は、４つのフレームアドレスの各記憶領域（カラムスタートアドレスＣ１、ページスタートアドレスＰ１、カラムエンドアドレスＣ２及びページエンドアドレスＰ２で指定される矩形領域、並びに、フレームアドレスで指定されるフレーム領域）に、１フレーム分の１ビットの画像データを記憶することができる。
【００４２】
図２のコマンドデコーダ回路５１４は、処理装置１３０からのコマンドデータをデコードする。デコード結果がコマンドデータＣＡＳＥＴを示す場合、コマンドデコーダ回路５１４は、コマンドデータＣＡＳＥＴが入力されたことをコマンドレジスタ回路５１５が保持することを許可する。レジスタ書き込み回路２０は、コマンドレジスタ回路５１５が保持するコマンド内容に応じて、処理装置１３０からのパラメータデータ（Ｃ１、Ｃ２）をパラメータレジスタ回路３０の対応する領域に書き込む。デコード結果がコマンドデータＰＡＳＥＴを示す場合、同様に、レジスタ書き込み回路２０は、コマンドレジスタ回路５１５が保持するコマンド内容に応じて、処理装置１３０からのパラメータデータ（Ｐ１、Ｐ２、フレームアドレス）をパラメータレジスタ回路３０の対応する領域に書き込む。デコード結果がコマンドデータＷＲＲＡＭを示す場合、コマンドデコーダ回路５１４は、コマンドデータＷＲＲＡＭが入力されたことをコマンドレジスタ回路５１５が保持することを許可する。書き込み回路５２６は、制御ロジック回路５４２を介して、処理装置１３０からの１フレーム分の画像データを受け、コマンドレジスタ回路５１５が保持するコマンド内容（ＷＲＲＡＭ）及びパラメータレジスタ回路３０が保持するパラメータ内容（Ｃ１、Ｐ１、Ｃ２、Ｐ２、フレームアドレス）に基づき１フレーム分の画像データを記憶回路５２２の対応する記憶領域（例えば、フレームアドレス＝１）に書き込む。
【００４３】
制御ロジック回路５４２は、次のコマンドデータＣＡＳＥＴ、ＰＡＳＥＴ、ＷＰＲＡＭ及び次のパラメータデータ（Ｃ１、Ｐ１、Ｃ２、Ｐ２、フレームアドレス）を処理装置１３０から受信する。書き込み回路５２６は、同様に、１フレーム分の次の画像データを記憶回路５２２の対応する記憶領域（例えば、フレームアドレス＝２）に書き込む。このように、処理装置１３０は、通常の動作モードにおいて、連続する複数のフレーム分の画像データを１フレーム単位で、例えば図３のフレームアドレス１、２、３、４の順番で、記憶回路５２２に書き込む。なお、処理装置１３０は、記憶回路５２２の２つのフレームアドレス（例えば、フレームアドレス＝１）だけを使用し、他の３つのフレームアドレス（例えば、フレームアドレス＝２、３、４）を使用しなくてもよい。
【００４４】
図４に、通常の動作モードで点滅表示を行う場合の画像データの構成例を示す。処理装置１３０は、通常の動作モードにおいて、連続する第１〜第Ｎの画像データを１フレーム単位で、例えば図３のフレームアドレス１、２の順番で、記憶回路５２２に書き込む。この場合、処理装置１３０は、特許文献１や特許文献２の従来技術と同様に、奇数番目の画像データ及び偶数番目の画像データとして、第１の画像データ及び第２の画像データの送信を繰り返す必要がある。そこで、表示ドライバ１０は、このような処理装置１３０の負担を軽減するために、通常の動作モードと異なる点滅動作モードを採用する。なお、通常の動作モードで点滅表示を行う場合、読み出し回路５２４は、第１〜第Ｎの画像データを順次に読み出す。
【００４５】
図５に、点滅動作モードにおける画像データの構成例を示す。処理装置１３０は、点滅動作モードにおいて、図４の構成例の代わりに、第１の画像データ及び第２の画像データの送信を一回実施するたけでよい。記憶回路５２２は、１フレーム分の第１の画像データを例えばフレームアドレス１に対応する記憶領域に記憶し、１フレーム分の第２の画像データを例えばフレームアドレス２に対応する記憶領域に記憶する。読み出し回路５２４は、点滅動作モードにおいて、第１の画像データ及び第２の画像データを交互に読み出すことを繰り返す。点滅動作モードにおいて、第１の画像データは、第２の画像データと異なる。具体的には、第１の画像データの少なくとも１画素の明度・色度・彩度の少なくとも一つは、第２の画像データの対応する少なくとも１画素の明度・色度・彩度の少なくとも一つと異なる。図５で示されるように、第１の画像データを明データと呼び、第２の画像データを暗データと呼ぶこともできる。
【００４６】
なお、表示ドライバ１０は、点滅動作モードを１フレームの一部において実施してもよい。すなわち、部分的な点滅動作モードで用いられる画像データは、少なくとも１つの画素分の画像データでもよい。この場合、データドライバ回路５５０は、３２０個のデータ線の中の対応するデータ線を第１の画像データ又は第２の画像データに基づき駆動する。
【００４７】
図６に、点滅動作モードにおける画像データの読み出しタイミング例を示す。図５のように、第１のフレームで第１の画像データを表示し、第２のフレームで第２の画像データを表示する場合、データドライバ回路５５０は、極性反転駆動を採用するメリットの恩恵の一部を受けることができない。第１の画像データ及び第２の画像データのある画素（例えば、中心付近の画素）に着目すると、第１のフレームでは白を示し、第２のフレームでは黒を示す。この場合、黒を示す画像データを反転すると、第２のフレームでも実質的に白を示すので、このような画素に対しては、データドライバ回路５５０の極性反転駆動が実質的に作用しない。
【００４８】
そこで、図６のように、読み出し回路５２４は、Ｎ（２以上の整数）フレームの周期で第１の画像データ及び第２の画像データの一方から他方に切り換えることによって、データドライバ回路５５０は、極性反転駆動を採用するメリットの恩恵の受けることができる。言い換えれば、データドライバ回路５５０は、電気光学物質の劣化を防止することができる。さらに好ましくは、切り替え周期は、偶数のフレームの周期である。
【００４９】
処理装置１３０は、点滅表示用の第１の画像データ及び第２の画像データの送信を実施した後、具体的には、点滅表示の開始を示すコマンドデータＢＬＩＮを制御ロジック回路５４２に送信する。コマンドデコーダ回路５１４のデコード結果がコマンドデータＢＬＩＮを示す場合、コマンドデコーダ回路５１４は、コマンドデータＢＬＩＮが入力されたことをコマンドレジスタ回路５１５が保持することを許可する。読み出し回路５２４は、コマンドレジスタ回路５１５が保持するコマンド内容（ＢＬＩＮ）に応じて、通常の動作モードの代わりに、点滅動作モードを実施する。読み出し回路５２４は、点滅表示を開始するために、第１の画像データ又は第２の画像データの読み出しを開始し、例えば第１の画像データを最初に読み出す。
【００５０】
処理装置１３０は、点滅動作モードにおける切り替え周期を表示ドライバ１０に指定することもできる。具体的には、処理装置１３０は、コマンドデータＢＬＩＮに関連するパラメータデータとして、或いは、コマンドデータＢＬＩＮとは異なるコマンドデータ（点滅表示の制御パラメータを設定するコマンドデータＢＬＳＥＴ）に関連するパラメータデータとして、読み出し回路５２４が第１の画像データ及び第２の画像データの一方から他方に切り換えるための周期データを制御ロジック回路５４２に送信してもよい。デコード結果が例えばコマンドデータＢＬＳＥＴを示す場合、コマンドデコーダ回路５１４は、コマンドデータＢＬＳＥＴが入力されたことをコマンドレジスタ回路５１５が保持することを許可する。レジスタ書き込み回路２０は、コマンドレジスタ回路５１５が保持するコマンド内容（ＢＬＩＮ又はＢＬＳＥＴ）に応じて、処理装置１３０からのパラメータデータ（周期データ）をパラメータレジスタ回路３０の対応する領域に書き込む。読み出し回路５２４は、コマンドレジスタ回路５１５が保持するコマンド内容（ＢＬＩＮ又はＢＬＳＥＴ）及びパラメータレジスタ回路３０が保持するパラメータ内容（周期データ）に基づき点滅動作モードを実施する。
【００５１】
読み出し回路５２４は、周期データそのものを点滅動作モードにおける切り替え周期に直接に反映することもできるが、上述の通り、切り替え周期は、２以上の整数（好ましくは、偶数）のフレームの周期である。したがって、処理装置１３０からの周期データが常に、２以上の整数（好ましくは、偶数）のフレームの周期に反映されるように、読み出し回路５２４は、周期データから切り替え周期への変換テーブルを利用してもよい。変換テーブルは、切り替え周期として、２以上の整数（好ましくは、偶数）のフレームの周期だけを持つ。変換テーブルは、例えば、２〜２５６までの偶数の何れか１つを読み出し回路５２４に出力する。なお、変換テーブルは、切り替え周期を変化させて読み出し回路５２４に出力してもよい。例えば、変換テーブルは、最初に２フレームの周期を切り替え周期として出力し、その後、４フレームの周期を切り替え周期として出力し、その後、１６フレームの周期に固定してもよい。変換テーブルは、制御ロジック回路５４２（例えば、パラメータレジスタ回路３０）や読み出し回路５２４に格納されてよい。
【００５２】
処理装置１３０は、点滅動作モードに使用される画像データを表示ドライバ１０に指定することもできる。具体的には、処理装置１３０は、コマンドデータＢＬＩＮ又はコマンドデータＢＬＳＥＴに関連するパラメータデータとして、読み出し回路５２４が第１の画像データを読み出すための第１の指定データと、読み出し回路５２４が第２の画像データを読み出すための第２の指定データと、を制御ロジック回路５４２に送信してもよい。レジスタ書き込み回路２０は、コマンドレジスタ回路５１５が保持するコマンド内容（ＢＬＩＮ又はＢＬＳＥＴ）に応じて、処理装置１３０からのパラメータデータ（第１の指定データ、第２の指定データ）をパラメータレジスタ回路３０の対応する領域に書き込む。読み出し回路５２４は、コマンドレジスタ回路５１５が保持するコマンド内容（ＢＬＩＮ又はＢＬＳＥＴ）及びパラメータレジスタ回路３０が保持するパラメータ内容（第１の指定データ、第２の指定データ）に基づき点滅動作モードを実施する。指定データは、記憶回路５２２の記憶領域に対応する。第１の指定データは、例えばフレームアドレス１を示し、第２の指定データは、例えばフレームアドレス２を示す。また、フレームアドレス１に記憶される画像データ（例えば、第１の画像データ）又はフレームアドレス２に記憶される画像データ（例えば、第２の画像データ）の何れか一方を開示フレームアドレスとして設定することもできる。第１の指定データが開示フレームアドレスを表す場合、読み出し回路５２４は、点滅動作モードの開始時に、フレームアドレス１に記憶される画像データ（例えば、第１の画像データ）を最初に読み出す。
【００５３】
処理装置１３０は、点滅表示の終了を示すコマンドデータＢＬＯＵＴを制御ロジック回路５４２に送信することもできる。コマンドデコーダ回路５１４のデコード結果がコマンドデータＢＬＯＵＴを示す場合、コマンドデコーダ回路５１４は、コマンドデータＢＬＯＵＴが入力されたことをコマンドレジスタ回路５１５が保持することを許可する。読み出し回路５２４は、コマンドレジスタ回路５１５が保持するコマンド内容（ＢＬＯＵＴ）に応じて、点滅動作モードの代わりに、通常の動作モードを実施する。読み出し回路５２４は、点滅表示を終了するために、第１の画像データ又は第２の画像データの読み出しを終了し、例えば第２の画像データを最後に読み出す。
【００５４】
図７に、コマンドレジスタ回路５１５の設定例を示す。図７（Ａ）は、コマンドレジスタ回路５１５がコマンドデータＢＬＩＮ及びコマンドデータＢＬＯＵＴを格納する例を示し、図７（Ｂ）は、コマンドレジスタ回路５１５がコマンドデータＢＬＩＮ及びコマンドデータＢＬＳＥＴを格納する例を示す。
【００５５】
図７（Ａ）に示されるように、コマンドデコーダ回路５１４のデコード結果がコマンドデータＢＬＩＮを示す場合、コマンドレジスタ回路５１５は、対応する領域（ＦＬＧ＿ＢＬＩＮ）に、コマンドデータＢＬＩＮが入力されたことを保持する。読み出し回路５２４は、コマンドデータＢＬＩＮに応じて、点滅動作モードを実施する。読み出し回路５２４は、第１の周期（例えば、４フレームの周期）だけ第１の画像データ（開示フレームアドレス）の読み出しを繰り返し、第２の周期だけ第２の画像データの読み出しを繰り返す。読み出し回路５２４は、第３の周期だけ第１の画像データの読み出しを繰り返し、第４の周期だけ第２の画像データの読み出しを繰り返す。読み出し回路５２４は、第５の周期だけ第１の画像データの読み出しを繰り返し、第６の周期だけ第２の画像データの読み出しを繰り返す。読み出し回路５２４は、第７の周期の始まりで第１の画像データの読み出しの繰り返しを開始する。第７の周期の途中でコマンドデコーダ回路５１４のデコード結果がコマンドデータＢＬＯＵＴを示す場合、コマンドレジスタ回路５１５は、対応する領域（ＦＬＧ＿ＢＬＯＵＴ）に、コマンドデータＢＬＯＵＴが入力されたことを保持する。読み出し回路５２４は、コマンドデータＢＬＯＵＴに応じて、点滅動作モードを終了してもよい。
【００５６】
しかしながら、第７の周期の途中や第７の周期の終わりで点滅動作モードを終了する場合、ユーザは、第１の画像データ及び第２の画像データからなる点滅表示に不自然さを感じる。したがって、読み出し回路５２４は、開示フレームアドレスではない第２の画像データを読み出した後に、点滅動作モードを終了する。好ましくは、図７（Ａ）に示されるように、第８の周期の終わりで点滅動作モードを終了する。読み出し回路５２４は、点滅動作モードの終了をコマンドレジスタ回路５１５に通知する。コマンドレジスタ回路５１５は、対応する領域（ＦＬＧ＿ＢＬＩＮ）に、コマンドデータＢＬＩＮが入力されたことを取り消す。また、コマンドレジスタ回路５１５は、対応する領域（ＦＬＧ＿ＢＬＯＵＴ）に、コマンドデータＢＬＯＵＴが入力されたことを取り消す。
【００５７】
なお、点滅動作モードに使用される画像データ（例えば、第１の画像データ及び第２の画像データ）は、点滅動作モード専用のＲＯＭに記憶されてもよい。
【００５８】
図７（Ｂ）に示されるように、第５の周期の途中でコマンドデコーダ回路５１４のデコード結果がコマンドデータＢＬＳＥＴを示す場合、コマンドレジスタ回路５１５は、対応する領域（ＦＬＧ＿ＢＬＳＥＴ）に、コマンドデータＢＬＳＥＴが入力されたことを保持する。コマンドデータＢＬＳＥＴに関連するパラメータデータとして、第１の指定データは、開始フレームアドレスとして例えばフレームアドレス３を示し、第２の指定データは、例えばフレームアドレス４を示す。記憶回路５２２のフレームアドレス３に記憶される画像データが第３の画像データであり、フレームアドレス４に記憶される画像データが第４の画像データである場合、読み出し回路５２４は、コマンドデータＢＬＳＥＴに応じて、第１の画像データ及び第２の画像データの代わりに第３の画像データ及び第４の画像データを使用し、点滅動作モードの設定を変更する。好ましくは、図７（Ｂ）に示されるように、第６の周期の終わりで点滅動作モードの設定を変更する。読み出し回路５２４は、点滅動作モードの設定変更をコマンドレジスタ回路５１５に通知する。コマンドレジスタ回路５１５は、対応する領域（ＦＬＧ＿ＢＬＳＥＴ）に、コマンドデータＢＬＳＥＴが入力されたことを取り消す。
【００５９】
なお、コマンドデータＢＬＳＥＴに関連するパラメータデータとして、第１の指定データは、開始フレームアドレスとしてフレームアドレス３を示し、第２の指定データは、フレームアドレス２を示してもよい。この場合、読み出し回路５２４は、第３の画像データ及び第２の画像データを使用し、点滅動作モードの設定を変更する。
【００６０】
図７（Ａ）において、点滅動作モードが実施される間、点滅動作モードに使用される画像データのフレームアドレスに、書き込み回路５２６は、新しい画像データを書き込めないことが好ましい。言い換えれば、書き込み回路５２６は、コマンドレジスタ回路５１５が保持するコマンド内容及びパラメータレジスタ回路３０が保持するパラメータ内容に応じて、記憶回路５２２に新しい画像データを書き込むことが可能になる。
【００６１】
図２において、システムインターフェース回路５４８は、電源投入時又はシステムリセット時に例えば「Ｌ」を示す反転リセット信号ＸＲＥＳを取り扱うことができ、制御ロジック回路５４２は、反転リセット信号ＸＲＥＳに基づき外部不揮発性メモリ１３４に記憶されるパラメータデータのすべての読み出しを制御するメモリ制御回路５１８を有することができる。メモリ制御回路５１８は、読み出しの開始を制御する制御データを外部不揮発性メモリ１３４に送信する。
【００６２】
システムインターフェース回路５４８は、例えば、外部不揮発性メモリ１３４用の反転チップセレクト信号ＸＥ２ＣＳ、シリアルクロック信号Ｅ２ＳＣＬ、及びシリアル出力データＥ２ＳＯを取り扱うことができる。反転チップセレクト信号ＸＥ２ＣＳの「Ｌ」は、例えば、外部不揮発性メモリ１３４と表示ドライバ１０との間の通信の許可を示す。シリアル通信モードにおけるシリアルクロック信号Ｅ２ＳＣＬは、外部不揮発性メモリ１３４と表示ドライバ１０との間の通信用のクロックを示す。シリアル通信モードにおけるシリアル出力データＥ２ＳＯは、表示ドライバ１０から外部不揮発性メモリ１３４への制御データを示す。また、システムインターフェース回路５４８は、例えば、シリアル入力データＥ２ＳＩを取り扱うことができる。シリアル通信モードにおけるシリアル入力データＥ２ＳＯは、外部不揮発性メモリ１３４から表示ドライバ１０へのパラメータデータ又は制御データを示す。
【００６３】
外部不揮発性メモリ１３４は、読み出しの開始を制御する制御データをメモリ制御回路５１８から受信すると、外部不揮発性メモリ１３４に記憶されるパラメータデータのすべての読み出しを開始する。レジスタ書き込み回路２０は、外部不揮発性メモリ１３４からのパラメータデータをパラメータレジスタ回路３０に書き込むことができる。パラメータレジスタ回路３０は、処理装置１３０によって設定されるパラメータデータと外部不揮発性メモリ１３４によって設定されるパラメータデータとを有することができる。
【００６４】
当業者は、上述した本実施形態が、本発明の精神を逸脱することなく、（場合によって技術常識を参照することによって、）変形され得ることを容易に理解できるであろう。本発明の範囲は、本実施形態の全部または一部およびそれらの変形を含み、特許請求の範囲およびその均等な範囲によって定められる。
【図面の簡単な説明】
【００６５】
【図１】本実施形態の電気光学装置の構成例。
【図２】図１の制御ロジック回路の構成例。
【図３】図１の記憶回路の記憶領域の構成例。
【図４】通常の動作モードで点滅表示を行う場合の画像データの構成例。
【図５】点滅動作モードにおける画像データの構成例。
【図６】点滅動作モードにおける画像データの読み出しタイミング例。
【図７】図７（Ａ）、図７（Ｂ）は、コマンドレジスタ回路の設定例。
【符号の説明】
【００６６】
１０  表示ドライバ、２０  レジスタ書き込み回路、３０  パラメータレジスタ回路、
１３０  処理装置、１３４  外部不揮発性メモリ、５１２  電気光学パネル、
５１４  コマンドデコーダ回路、５１５  コマンドレジスタ回路、
５１８  メモリ制御回路、５２２  記憶回路、５２４  読み出し回路、
５２６  書き込み回路、５４２  制御ロジック回路、５４４  表示タイミング制御回路、
５４８  システムインターフェース回路、５５０  データドライバ回路、
５７０  走査ドライバ回路、５９０  電源回路、６１０  階調電圧生成回路
【図１】
2010066589.tif 000003
【図２】
2010066589.tif 000004
【図３】
2010066589.tif 000005
【図４】
2010066589.tif 000006
【図５】
2010066589.tif 000007
【図６】
2010066589.tif 000008
【図７】
2010066589.tif 000009